(57)【要約】【課題】通信方式を変更することが可能な無線システムで、通信方式の管理や登録を明確に行う。【解決手段】無線システムは、無線通信装置１と、無線通信装置１に着脱可能な外部記憶装置２とを設けて構成される。外部記憶装置２には、１つの通信方式に対応したソフトウエア又はそれぞれ異なる通信方式に対応した複数のソフトウエアが記憶される。無線通信装置１では、通信処理実行手段１１〜１６が、外部記憶装置２が接続された状態で、外部記憶装置２に記憶されたソフトウエアを実行して当該ソフトウエアに対応した通信方式の通信処理を実行する。【選択図】  図１
2008005457.tif 000002
【特許請求の範囲】
【請求項１】
通信方式を変更することが可能な無線システムにおいて、
無線通信装置と、前記無線通信装置に着脱可能な外部記憶装置とを設けて構成され、
前記外部記憶装置には、１つの通信方式に対応したソフトウエア又はそれぞれ異なる通信方式に対応した複数のソフトウエアが記憶され、
前記無線通信装置は、前記外部記憶装置が接続された状態で前記外部記憶装置に記憶されたソフトウエアを実行して当該ソフトウエアに対応した通信方式の通信処理を実行する通信処理実行手段を備えた、
ことを特徴とする無線システム。
【発明の詳細な説明】
【技術分野】
【０００１】
本発明は、通信方式を変更することが可能な無線システムに関し、特に、通信方式の管理や登録を明確に行う無線システムに関する。
【背景技術】
【０００２】
例えば、ソフトウエア無線機は、同一のハードウエアリソースにより実行する通信制御プログラムを変更することで複数種類の方式の無線通信を行うことが可能な無線端末装置として知られており、通信が行われる場所や利用を希望する通信サービスの種類等に応じて装置に組み込む通信制御プログラムを切り替えることにより、それぞれの状況に適したアルゴリズムやプロトコル等に従った方式で無線通信を行うことができる。
【０００３】
図９には、通信方式を変更することが可能な無線通信装置２１の構成例を示してある。本例の無線通信装置２１は、全二重又は半二重の通信を行う。
本例の無線通信装置２１は、アンテナ３１と、増幅部（ＰＡ／ＬＮＡ部）３２と、周波数変換部３３と、変復調処理部３４と、入出力処理部３５と、制御部３６と、不揮発性記憶部３７を備えている。
また、本例の無線通信装置２１は、外部記憶媒体から内部の不揮発性記憶部３７へプログラムをダウンロードする際に当該無線通信装置２１に外部記憶媒体を接続するための接続部（接続端）Ｐ１１を有しており、また、外部と内部の入出力処理部３５との間でアナログ信号又はデータを入出力するための入出力部（入出力端）Ｐ１２を有しており、また、ユーザによる操作などにより外部から通信方式を選択するための情報を内部の制御部３６に入力するための入力部（入力端）Ｐ１３を有している。
【０００４】
ここで、本例の無線通信装置２１の送信機能の動作や受信機能の動作としては、例えば、後述する本発明の一実施例に係る図１に示される無線通信装置１と同様であるため、ここでは詳しい説明を省略する。
図９に示される本例の無線通信装置２１では、変復調処理部３４はＤＳＰ（Ｄｉｇｉｔａｌ  Ｓｉｇｎａｌ  Ｐｒｏｃｅｓｓｏｒ）等のプロセッサによりソフトウエアを用いて通信方式に応じた変復調処理を行う。この場合に、ソフトウエアであるプログラムは、不揮発性記憶部３７に記憶され、必要に応じてＣＤ（Ｃｏｍｐａｃｔ  Ｄｉｓｃ）−ＲＯＭ（Ｒｅａｄ  Ｏｎｌｙ  Ｍｅｍｏｒｙ）等の外部記憶媒体からダウンロードすることができる。制御部３６は、不揮発性記憶部３７に記憶されている通信方式の管理や、通信方式選択情報の取得や、外部記憶媒体からのダウンロードの制御などを行う。
【０００５】
図１０には、本例の無線通信装置２１により行われる通信方式の変更処理の手順の一例を示してある。
無線システム（本例では、無線通信装置２１）が起動されると（ステップＳ２１）、ユーザにより選択された通信方式を特定する情報の取得が行われる（ステップＳ２２）。次に、選択された通信方式のプログラムが不揮発性記憶部３７に存在するか否かを判定し（ステップＳ２３）、存在しない場合にはＣＤ−ＲＯＭ等の外部記憶媒体から必要な通信方式のプログラムをダウンロードする（ステップＳ２４）。一方、選択された通信方式のプログラムが既に不揮発性記憶部３７に存在する場合には、ダウンロードはしない。
【０００６】
上記において、選択された通信方式のプログラムがダウンロードにより不揮発性記憶部３７に存在する状態になった場合には、或いは、選択された通信方式のプログラムが既に不揮発性記憶部３７に存在した場合には、次に、選択された通信方式のプログラムを不揮発性記憶部３７から変復調処理部３４のプロセッサにブートを行う（ステップＳ２５）。そして、選択された通信方式で変復調処理を行って、通信が行われる（ステップＳ２６）。
また、通信処理中には、ユーザから通信方式の変更指示があるか否かを判定し（ステップＳ２７）、通信方式の変更指示が無い場合には当該通信処理を継続して行い、一方、通信方式の変更指示があった場合には再び通信方式の選択処理（ステップＳ２２）へ戻る。
【０００７】
なお、従来技術の一例として、ソフトウエア無線に関して、通信制御プログラムをハードウエアリソースにより実行することにより当該通信制御プログラムにより規定された方式の無線通信を行う無線端末装置に対して通信制御プログラムをダウンロードさせるに際して、通信方式毎に通信制御ソフトウエアを標準化する無線端末装置へのプログラムダウンロード制御装置が開示されている（例えば、特許文献１参照。）。
【０００８】
【特許文献１】特開平１１−３３１９１１号公報
【発明の開示】
【発明が解決しようとする課題】
【０００９】
しかしながら、図９に示されるような無線システム（本例では、無線通信装置２１）では、同じ無線システムであっても、不揮発性記憶部３７に記憶される変復調用プログラムが書き替え可能であるため、いずれの無線システムがいずれの通信方式に対応しているかなどが不明になり易く、無線システムにおいて通信方式の管理や登録が煩雑になってしまうといった問題があった。また、無線システムが無断使用された場合、不揮発性記憶部３７に記憶されているプログラムに対応した通信方式であれば誰にでも使用できてしまう為、セキュリティ上問題があった。
本発明は、このような従来の課題を解決するために為されたもので、通信方式を変更することが可能な無線システムにおいて、利用可能なユーザを限定してセキュリティを向上させた無線システムを提供することを目的とする。また、更には、通信方式の管理や登録を明確に行うことができる無線システムを提供することを目的とする。
【課題を解決するための手段】
【００１０】
上記目的を達成するため、本発明に係る無線システムでは、次のような構成により、通信方式を変更することが可能である。
すなわち、無線システムは、無線通信装置と、前記無線通信装置に着脱可能な外部記憶装置とを設けて構成される。
前記外部記憶装置には、１つの通信方式に対応したソフトウエア、又は、それぞれ異なる通信方式に対応した複数のソフトウエアが、記憶される。
前記無線通信装置では、通信処理実行手段が、ユーザにより選択された通信方式の通信処理を開始するための情報を受け付けたことを条件に、選択された通信方式の通信処理を開始する。
選択された通信方式の通信処理を開始するための情報は、具体的には、選択された通信方式に対応するソフトウェアであり、前記無線通信装置では、通信処理実行手段が、前記外部記憶装置が接続された状態で、前記外部記憶装置に記憶されたソフトウエアを実行して、当該ソフトウエアに対応した通信方式の通信処理を実行する。
【００１１】
従って、無線通信装置では接続されている外部記憶装置に記憶されたソフトウエアに対応した通信方式の通信処理が実行されるため、ソフトウェアが記憶された外部記憶装置を所持しているユーザでなければ当該ソフトウエアに対応する通信方式の通信処理が実行できないので、通信処理を行えるユーザを限定することが可能となってセキュリティが向上する。また、無線通信装置に接続されている外部記憶装置によって無線通信装置により使用される通信方式を把握や管理などすることができ、通信方式の管理や登録を明確に行うことができる。例えば、外部記憶装置に１つのソフトウエアのみが記憶される場合には無線通信装置に接続されている外部記憶装置によって通信方式を特定することができ、また、外部記憶装置に複数種類のソフトウエアが記憶される場合にはその範囲において通信方式を把握することができる。また、無線通信装置に接続される外部記憶装置を交換することにより、種々な通信方式に変更することが可能である。
【００１２】
また、選択された通信方式の通信処理を開始するための情報は、具体的には、ユーザを特定する情報であり、前記無線通信装置は、通信処理の実行を許可するユーザを特定するユーザ情報を予め記憶したセキュリティ情報記憶部を備え、通信処理実行手段が、ユーザから受け付けたユーザ情報に該当するユーザ情報が前記セキュリティ情報記憶部に存在する場合に通信処理を開始する。
つまり、通信処理の開始に先立って、通信処理を指示したユーザが通信処理の実行を許可されたユーザであるか否かを判定する認証処理が行われるため、通信処理を行えるユーザを限定することが可能となってセキュリティが向上する。
また、認証処理を行ってからの通信処理の開始と、外部記憶装置が接続された状態での通信処理の実行とを組み合わせることで、よりセキュリティが向上して好ましい。
【００１３】
ここで、通信方式としては、種々なものが用いられてもよい。
また、無線通信装置や、外部記憶装置としては、それぞれ、種々な構成のものが用いられてもよい。
また、ソフトウエアとしては、例えば、プログラムや、パラメータデータなど、種々なものが用いられてもよい。
また、１つの外部記憶装置に記憶されるソフトウエアの数としては、種々な数が用いられてもよい。１つの外部記憶装置に１つの通信方式に対応したソフトウエアを記憶する場合には、外部記憶装置と通信方式とを１対１で把握することができる。また、１つの外部記憶装置に異なる通信方式に対応した複数のソフトウエアを記憶する場合には、外部記憶装置と通信方式とを１対複数で把握することができる。
【００１４】
また、１つの外部記憶装置に異なる通信方式に対応した複数のソフトウエアを記憶する場合には、例えば、無線通信装置では、ユーザからの指示などに応じて、実行するソフトウエア（通信方式）を選択する。
また、通信方式に対応した通信処理としては、種々な処理が用いられてもよく、例えば、変復調処理を含む処理が用いられ、実行されるソフトウエアに対応した通信方式の変復調処理が実行される。
また、外部記憶装置が接続された状態で通信処理を実行する形態においては、外部記憶装置は、例えば、無線通信装置の内部の記憶部を介さずに無線通信装置の内部のプロセッサなどと接続され、そして、外部記憶装置に記憶されたソフトウエアは直接的にプロセッサにブートされる。このような構成は、例えば、通信方式に対応したソフトウエアを記憶する記憶装置を、無線通信装置の内部ではなく、外部に着脱可能に設けたようなものとも言える。
【００１５】
また、ユーザ情報に基づく認証処理を行ってから通信処理の開始する形態においては、ユーザ情報としては、ユーザＩＤとパスワードとの組を用いることができる他、例えば、パスワードに代えて各個人を特定するバイオメトリクス情報（指紋、虹彩、声紋、顔、静脈等）を用いるなど、種々な態様で実現できる。また、複数のユーザ情報をセキュリティ情報記憶部に記憶させておくことで、無線通信装置を複数のユーザで共有可能にし且つ利用者数に制限をかけることができる。また、通信方式別のユーザ情報をセキュリティ情報記憶部に記憶させておくことで、通信方式別にユーザを制限することもできる。また、認証処理のタイミングとしては、例えば、外部記憶装置からプログラムをダウンロードする際や、プログラムに対応した通信処理を開始する際など種々のタイミングで行うことができる。
【発明の効果】
【００１６】
以上説明したように、本発明に係る無線システムによると、無線通信装置が接続された外部記憶装置に記憶されたソフトウエアを実行して当該ソフトウエアに対応した通信方式の通信処理を実行するようにしたため、通信処理を行えるユーザを限定することが可能となってセキュリティが向上するとともに、無線通信装置に接続されている外部記憶装置によって無線通信装置により使用される通信方式を把握や管理などすることができ、通信方式の管理や登録を明確に行うことができる。
また、本発明に係る無線システムによると、通信処理の開始に先立って認証処理が行われるため、通信処理を行えるユーザを限定することが可能となってセキュリティが向上する。
【発明を実施するための最良の形態】
【００１７】
本発明に係る実施例を図面を参照して説明する。
図１には、本発明に係る第１の実施例として、通信方式を変更することが可能な無線システムの構成例を示してある。本例の無線システムは、全二重又は半二重の通信を行う。
本例の無線システムは、無線通信装置１と、その外部に設けられる外部不揮発性記憶部２を有している。
本例の無線通信装置１は、アンテナ１１と、増幅部（ＰＡ／ＬＮＡ部）１２と、周波数変換部１３と、変復調処理部１４と、入出力処理部１５と、制御部１６を備えている。
【００１８】
また、本例の無線通信装置１は、外部不揮発性記憶部２を内部の制御部１６と着脱可能に接続するための接続部（接続端）Ｐ１を有しており、また、外部と内部の入出力処理部１５との間でアナログ信号又はデータを入出力するための入出力部（入出力端）Ｐ２を有しており、また、ユーザによる操作などにより外部から通信方式を選択するための情報を内部の制御部１６に入力するための入力部（入力端）Ｐ３を有している。
【００１９】
本例の無線通信装置１により行われる動作の概要を説明する。
送信機能の動作の一例を示す。
外部から入出力部Ｐ２を介してアナログ信号（例えば、アナログ音声）又はデータが入力され、入出力処理部１５は、アナログ信号についてはＡ／Ｄ変換器（ＡＤＣ：Ａｎａｌｏｇ  Ｄｉｇｉｔａｌ  Ｃｏｎｖｅｒｔｅｒ）によりデジタル信号へ変換し、また、必要に応じてシリアル／パラレル変換等の処理を行い、処理後の信号を変復調処理部１４へ出力する。変復調処理部１４は、入出力処理部１５から入力された信号に対して変調処理を行い、その後、Ｄ／Ａ変換器（ＤＡＣ：Ｄｉｇｉｔａｌ  Ａｎａｌｏｇ  Ｃｏｎｖｅｒｔｅｒ）により変調結果の信号をアナログ信号へ変換し、中間周波数（ＩＦ：Ｉｎｔｅｒｍｅｄｉａｔｅ  Ｆｒｅｑｕｅｎｃｙ）の信号を周波数変換部１３へ出力する。周波数変換部１３は、変復調処理部１４から入力されたＩＦの信号を無線周波数（ＲＦ：Ｒａｄｉｏ
Ｆｒｅｑｕｅｎｃｙ）の信号へ周波数変換して増幅部１２へ出力する。増幅部１２は、周波数変換部１３から入力された信号を電力増幅器（ＰＡ：Ｐｏｗｅｒ  Ａｍｐｌｉｆｉｅｒ）により電力増幅してアンテナ１１へ出力する。この信号がアンテナ１１から無線送信される。
【００２０】
受信機能の動作の一例を示す。
アンテナ１１により無線信号が受信され、当該受信信号がアンテナ１１を経由して増幅部１２に入力される。増幅部１２は、アンテナ１１から入力された受信信号を低雑音増幅器（ＬＮＡ：Ｌｏｗ  Ｎｏｉｓｅ  Ａｍｐｌｉｆｉｅｒ）により増幅して周波数変換部１３へ出力する。周波数変換部１３は、増幅部１２から入力されたＲＦの信号をＩＦの信号へ周波数変換して変復調処理部１４へ出力する。変復調処理部１４は、周波数変換部１３から入力されたＩＦの信号をＡ／Ｄ変換器によりデジタル信号へ変換し、その後、当該デジタル信号に対して復調処理を行い、復調結果の信号を入出力処理部１５へ出力する。入出力処理部１５は、変復調処理部１４から入力された信号について、必要に応じてシリアル／パラレル変換等の処理やＤ／Ａ変換器によりアナログ信号へ変換する処理を行い、アナログ信号（例えば、アナログ音声）又はデータを入出力部Ｐ２を介して外部へ出力する。
【００２１】
ここで、本例の無線システムにおける送信機能及び受信機能では、変復調処理部１４は、ＤＳＰ或いはＣＰＵ（Ｃｅｎｔｒａｌ  Ｐｒｏｃｅｓｓｉｎｇ  Ｕｎｉｔ）、ＦＰＧＡ（Ｆｉｅｌｄ  Ｐｒｏｇｒａｍｍａｂｌｅ  Ｇａｔｅ  Ａｒｒａｙ）等のプロセッサによりソフトウエアを用いて通信方式に応じた変復調処理を行う。この場合に、ソフトウエアであるプログラムは、ＵＳＢ（Ｕｎｉｖｅｒｓａｌ  Ｓｅｒｉａｌ  Ｂｕｓ）等のインタフェース（接続部Ｐ１）により接続された外部不揮発性記憶部２に記憶され、変復調処理部１４に対応したＤＳＰ等のプロセッサに直接的にブートされる。なお、本例では、変復調処理部１４に対応したＤＳＰ等のプロセッサは、制御部１６に設けられているが、他の構成例として、変復調処理部１４などに設けられてもよい。
また、制御部１６は、外部不揮発性記憶部２に記憶されているソフトウエアに対応した通信方式の管理や、入力部Ｐ３を介して入力される通信方式の選択情報の取得や、外部不揮発性記憶部２からのブート制御などを行う。
【００２２】
図２を参照して、外部不揮発性記憶部２に１つの通信方式に対応したソフトウエアが記憶される場合について、本例の無線通信装置１により行われる通信方式の変更処理の手順の一例を示す。
無線システム（ここでは、無線通信装置１）が起動されると（ステップＳ１）、外部不揮発性記憶部２が接続部Ｐ１に接続されているか否かを判定し（ステップＳ２）、接続されていない場合には接続されるまで当該判定を繰り返して行う。
【００２３】
一方、外部不揮発性記憶部２が接続部Ｐ１に接続されている場合には、外部不揮発性記憶部２から変復調処理部１４のプロセッサにソフトウエアのブートを行う（ステップＳ３）。そして、変復調処理部１４のプロセッサがブートされたソフトウエアのプログラムを実行することにより、当該ソフトウエアに対応した通信方式の変復調処理を行って、通信（送信や受信）を行う（ステップＳ４）。
また、通信処理中には、外部不揮発性記憶部２の交換があるか否かを判定し（ステップＳ５）、外部不揮発性記憶部２の交換が無い場合には当該通信処理を継続して行い、一方、外部不揮発性記憶部２の交換がある場合には、再び外部不揮発性記憶部２の接続確認処理（ステップＳ２）へ戻ることにより、通信方式を変更する。
【００２４】
ここで、外部不揮発性記憶部２の交換がある場合には、例えば、ユーザにより、現在とは異なる通信方式に対応したソフトウエアを記憶した外部不揮発性記憶部２が接続部Ｐ１に接続されるように、外部不揮発性記憶部２が交換される。
また、外部不揮発性記憶部２の交換があるか否かを判定する手法としては、種々な手法が用いられてもよく、例えば、ユーザから通信方式の変更指示があるか否かを判定し、通信方式の変更指示が無い場合には外部不揮発性記憶部２の交換が無いと判定する一方、通信方式の変更指示があった場合には外部不揮発性記憶部２の交換があると判定するような手法が用いられてもよく、或いは、接続部Ｐ１に接続されている外部不揮発性記憶部２の識別情報を読み取るなどして無線通信装置１が自動的に外部不揮発性記憶部２の交換の有無を判定するような手法が用いられてもよい。
【００２５】
図３を参照して、外部不揮発性記憶部２に複数の通信方式に対応した複数のソフトウエアが記憶される場合について、本例の無線通信装置１により行われる通信方式の変更処理の手順の一例を示す。
無線システム（ここでは、無線通信装置１）が起動されると（ステップＳ１１）、外部不揮発性記憶部２が接続部Ｐ１に接続されているか否かを判定し（ステップＳ１２）、接続されていない場合には接続されるまで当該判定を繰り返して行う。
【００２６】
一方、外部不揮発性記憶部２が接続部Ｐ１に接続されている場合には、外部不揮発性記憶部２から変復調処理部１４のプロセッサにソフトウエアのブートを行う（ステップＳ１３）。次に、ユーザより選択された通信方式を特定する情報を取得する（ステップＳ１４）。そして、変復調処理部１４のプロセッサがユーザにより選択された通信方式に対応したソフトウエアのプログラムを実行することにより、当該ソフトウエアに対応した通信方式の変復調処理を行って、通信（送信や受信）を行う（ステップＳ１５）。
【００２７】
また、通信処理中には、ユーザから通信方式の変更指示があるか否かを判定し（ステップＳ１６）、通信方式の変更指示が無い場合には当該通信処理を継続して行い、一方、通信方式の変更指示があった場合には、外部不揮発性記憶部２の交換を伴う通信方式の変更であるか否かを判定する（ステップＳ１７）。
この結果、通信方式の変更はあるが外部不揮発性記憶部２の交換を伴うものではない場合には通信方式選択情報の取得処理（ステップＳ１４）へ戻ることにより通信方式を変更し、一方、外部不揮発性記憶部２の交換を伴う通信方式の変更である場合には再び外部不揮発性記憶部２の接続確認処理（ステップＳ１２）へ戻ることにより、通信方式を変更する。
【００２８】
以上のように、本例の無線システムでは、ＤＳＰ等のプロセッサによりソフトウエアを用いて変復調処理を行うハードウエアとして、無線システム本体である無線通信装置１と、これとインタフェース（接続部１）により接続される外部不揮発性記憶部２を有し、無線通信装置１に接続される外部不揮発性記憶部２を交換することにより、通信方式を変更することが行われる。
従って、本例の無線システムでは、例えば外部からソフトウエアをダウンロードして通信方式を変更するのではなく、交換可能な外部不揮発性記憶部２を用いて通信方式を変更することが行われるため、通信方式が無線システム本体（本例では、無線通信装置１）ではなく外部不揮発性記憶部２により維持や管理されることから、通信方式の変更に際して、通信方式の管理や登録を明確化することができる。
また、無線通信装置１に外部不揮発性記憶部２が接続された状態で通信処理が実行されるため、ソフトウェアが記憶された外部不揮発性記憶部２を所持しているユーザでなければ当該ソフトウエアに対応する通信方式の通信処理が実行できないので、通信処理を行えるユーザを限定することが可能となってセキュリティが向上する。
【００２９】
なお、本例の無線システムは、無線通信装置１と、外部記憶装置（本例では、外部不揮発性記憶部２）から構成されている。
また、本例の無線通信装置１では、接続された外部記憶装置に記憶されたソフトウエア（本例では、プログラム）を制御部１６により実行することで変復調処理部１４において当該ソフトウエアに対応した通信方式の変復調処理を実行し、入出力処理部１５と変復調処理部１４と周波数変換部１３と増幅部１２とアンテナ１１により通信処理（送信処理や受信処理）を実行する機能により通信処理実行手段が構成されている。
【００３０】
図４には、本発明に係る第２の実施例として、通信方式を変更することが可能な無線システムの他の構成例を示してある。本例の無線システムは、全二重又は半二重の通信を行う。
本例の無線システム（無線通信装置１０１）は、アンテナ１１１と、増幅部（ＰＡ／ＬＮＡ部）１１２と、周波数変換部１１３と、変復調処理部１１４と、入出力処理部１１５と、制御部１１６と、不揮発性記憶部１１７と、セキュリティ情報記憶部１１８を備えている。なお、セキュリティ情報記憶部１１８には、後述する認証処理に用いるセキュリティ情報（ユーザ情報）が予め記憶されている。
【００３１】
また、本例の無線通信装置１０１は、外部記憶媒体から内部の不揮発性記憶部１１７へプログラムをダウンロードする際に当該無線通信装置１０１に外部記憶媒体を接続するための接続部（接続端）Ｐ１０１を有しており、また、外部と内部の入出力処理部１１５との間でアナログ信号又はデータを入出力するための入出力部（入出力端）Ｐ１０２を有しており、また、ユーザによる操作などにより外部から通信方式を選択するための情報を内部の制御部１１６に入力するための入力部（入力端）Ｐ１０３を有しており、また、ユーザによる操作などにより外部からセキュリティ情報を内部の制御部１１６に入力するための入力部（入力端）Ｐ１０４を有している。
【００３２】
本例の無線通信装置１０１の送信機能の動作や受信機能の動作としては、第１の実施例に係る図１に示した無線通信装置１と同様であるため、詳しい説明を省略する。
ここで、本例の無線システムにおける送信機能及び受信機能では、変復調処理部１１４は、ＤＳＰ或いはＣＰＵ、ＦＰＧＡ等のプロセッサによりソフトウエアを用いて通信方式に応じた変復調処理を行う。この場合に、ソフトウエアであるプログラムは、不揮発性記憶部１１７に記憶され、必要に応じてＵＳＢ等のインタフェース（接続部Ｐ１０１）により接続されたＣＤ−ＲＯＭ等の外部記憶媒体からダウンロードすることができる。なお、本例では、変復調処理部１１４に対応したＤＳＰ等のプロセッサは、制御部１１６に設けられているが、他の構成例として、変復調処理部１１４などに設けられてもよい。
【００３３】
また、制御部１１６は、不揮発性記憶部１１７に記憶されているソフトウエアに対応した通信方式の管理や、入力部Ｐ１０３を介して入力される通信方式の選択情報の取得や、入出力部Ｐ１０４を介して入力されるセキュリティ情報の取得や、接続部Ｐ１０１を介して行う外部記憶媒体からのダウンロードの制御や、外部から入力されたセキュリティ情報に該当するセキュリティ情報がセキュリティ情報記憶部１１８に存在する場合に通信処理の開始を許可する認証処理などを行う。
【００３４】
図５を参照して、本例の無線通信装置１０１により行われる通信方式の変更処理の手順の一例を示す。
無線システム（ここでは、無線通信装置１０１）が起動されると（ステップＳ１０１）、ユーザにより選択された通信方式を特定する情報の取得が行われる（ステップＳ１０２）。次に、選択された通信方式のプログラムが不揮発性記憶部１１７に存在するか否かを判定し（ステップＳ１０３）、存在しない場合にはＣＤ−ＲＯＭ等の外部記憶媒体から必要な通信方式のプログラムをダウンロードする（ステップＳ１０４）。一方、選択された通信方式のプログラムが既に不揮発性記憶部１１７に存在する場合には、ダウンロードはしない。
【００３５】
上記において、選択された通信方式のプログラムがダウンロードにより不揮発性記憶部１１７に存在する状態になった場合には、或いは、選択された通信方式のプログラムが既に不揮発性記憶部１１７に存在した場合には、次に、ユーザにより入力されたセキュリティ情報を取得して、当該取得したセキュリティ情報と予めセキュリティ情報記憶部１１８に記憶されたセキュリティ情報とを比較する（ステップＳ１０５）。
セキュリティ情報が一致した場合には通信処理の開始を許可して、該当するプログラムを不揮発性記憶部１０７から変復調処理部１０４のプロセッサにブートし（ステップＳ１０６）、選択された通信方式で変復調処理を行って通信を行う（ステップＳ１０７）。一方、セキュリティ情報が一致しない場合には通信処理の開始を禁止して、比較処理（ステップ１０５）を繰り返す。
【００３６】
また、通信処理中には、ユーザから通信方式の変更指示があるか否かを判定し（ステップＳ１０８）、通信方式の変更指示が無い場合には当該通信処理を継続して行い、一方、通信方式の変更指示があった場合には再び通信方式の選択処理（ステップＳ１０２）へ戻る。
【００３７】
以上のように、本例の無線システムでは、ユーザから入力されたセキュリティ情報に基づいて通信処理を開始するか否かを制御するため、通信処理を行えるユーザを限定することが可能となってセキュリティ性が向上する。すなわち、不揮発性記憶部１１７に通信方式のプログラムが記憶されたままの無線通信装置１０１がたとえ無断使用されたとしても、ユーザから入力されたセキュリティ情報に該当するセキュリティ情報がセキュリティ情報記憶部１１８に存在しない限り通信処理の開始が許可されないため、そのユーザは結局通信を行うことができず、無線システムの不正使用が防止される。
【００３８】
本例では、セキュリティ情報としてユーザＩＤとパスワードとの組を用いており、ユーザにより入力されたユーザＩＤとパスワードとに該当する組がセキュリティ情報記憶部１１８に記憶されている場合に通信処理の開始を許可している。また、複数のユーザＩＤとパスワードとの組をセキュリティ情報記憶部１１８に記憶させており、無線通信装置を複数のユーザで共有可能にし且つ利用者数に制限を設けている。なお、各ユーザが利用可能な通信方式を示す情報をユーザ毎に設定しておくことで通信方式別にユーザを制限するようにしてもよい。
【００３９】
また、上記パスワードに代えて、例えば、各個人を特定するバイオメトリクス情報（指紋、虹彩、声紋、顔、静脈等）を予めセキュリティ情報記憶部１１８に記憶しておき、入力端Ｐ１０４に接続されたバイオメトリクス情報取得装置によりユーザから取得したバイオメトリクス情報と比較して、これらが同一性を有する場合に通信処理の開始を許可するようにしてもよい。
【００４０】
なお、本例の無線システム（無線通信装置１０１）では、不揮発性記憶装置１１７に記憶されたソフトウエア（本例では、プログラム）を制御部１１６により実行することで変復調処理部１１４において当該ソフトウエアに対応した通信方式の変復調処理を実行し、入出力処理部１１５と変復調処理部１１４と周波数変換部１１３と増幅部１１２とアンテナ１１１により通信処理（送信処理や受信処理）を実行する機能により通信処理実行手段が構成されている。
【００４１】
図６には、本発明に係る第３の実施例として、通信方式を変更することが可能な無線システムの更に他の構成例を示してある。本例の無線システムは、全二重又は半二重の通信を行う。
本例の無線システムは、無線通信装置２０１と、その外部に設けられる外部不揮発性記憶部２０２を有している。
本例の無線通信装置２０１は、アンテナ２１１と、増幅部（ＰＡ／ＬＮＡ部）２１２と、周波数変換部２１３と、変復調処理部２１４と、入出力処理部２１５と、制御部２１６と、セキュリティ情報記憶部２１８を備えている。なお、セキュリティ情報記憶部２１８には、後述する認証処理に用いるセキュリティ情報（ユーザ情報）が予め記憶されている。
【００４２】
また、本例の無線通信装置２０１は、外部不揮発性記憶部２０２を内部の制御部２１６と着脱可能に接続するための接続部（接続端）Ｐ２０１を有しており、また、外部と内部の入出力処理部２１５との間でアナログ信号又はデータを入出力するための入出力部（入出力端）Ｐ２０２を有しており、また、ユーザによる操作などにより外部から通信方式を選択するための情報を内部の制御部２１６に入力するための入力部（入力端）Ｐ２０３を有しており、また、ユーザによる操作などにより外部からセキュリティ情報を内部の制御部１１６に入力するための入力部（入力端）Ｐ２０４を有している。
【００４３】
本例の無線通信装置２０１の送信機能の動作や受信機能の動作としては、第１の実施例に係る図１に示した無線通信装置１と同様であるため、詳しい説明を省略する。
ここで、本例の無線システムにおける送信機能及び受信機能では、変復調処理部２１４は、ＤＳＰ或いはＣＰＵ、ＦＰＧＡ等のプロセッサによりソフトウエアを用いて通信方式に応じた変復調処理を行う。この場合に、ソフトウエアであるプログラムは、ＵＳＢ等のインタフェース（接続部Ｐ１）により接続された外部不揮発性記憶部２０１に記憶され、変復調処理部２１４に対応したＤＳＰ等のプロセッサに直接的にブートされる。なお、本例では、変復調処理部２１４に対応したＤＳＰ等のプロセッサは、制御部２１６に設けられているが、他の構成例として、変復調処理部２１４などに設けられてもよい。
【００４４】
また、制御部２１６は、外部不揮発性記憶部２０２に記憶されているソフトウエアに対応した通信方式の管理や、入力部Ｐ２０３を介して入力される通信方式の選択情報の取得や、入出力部Ｐ２０４を介して入力されるセキュリティ情報の取得や、外部から入力されたセキュリティ情報に該当するセキュリティ情報がセキュリティ情報記憶部２１８に存在する場合に通信処理の開始を許可する認証処理などを行う。
【００４５】
図７を参照して、外部不揮発性記憶部２に１つの通信方式に対応したソフトウエアが記憶される場合について、本例の無線通信装置２０１により行われる通信方式の変更処理の手順の一例を示す。
無線システム（ここでは、無線通信装置２０１）が起動されると（ステップＳ２０１）、外部不揮発性記憶部２が接続部Ｐ１に接続されているか否かを判定し（ステップＳ２０２）、接続されていない場合には接続されるまで当該判定を繰り返して行う。
【００４６】
一方、外部不揮発性記憶部２０２が接続部Ｐ２０１に接続されている場合には、ユーザにより入力されたセキュリティ情報を取得して、当該取得したセキュリティ情報と予めセキュリティ情報記憶部２１８に記憶されたセキュリティ情報とを比較する（ステップＳ２０３）。
セキュリティ情報が一致した場合には通信処理の開始を許可して、外部不揮発性記憶部２０２から変復調処理部２１４のプロセッサにソフトウエアをブートし（ステップＳ２０４）、当該ソフトウエアに対応した通信方式の変復調処理を行って通信を行う（ステップＳ２０５）。一方、セキュリティ情報が一致しない場合には通信処理の開始を禁止して、比較処理（ステップ２０３）を繰り返す。
【００４７】
また、通信処理中には、外部不揮発性記憶部２０２の交換があるか否かを判定し（ステップＳ２０６）、外部不揮発性記憶部２０２の交換が無い場合には当該通信処理を継続して行い、一方、外部不揮発性記憶部２０２の交換がある場合には、再び外部不揮発性記憶部２０２の接続確認処理（ステップＳ２０２）へ戻ることにより、通信方式を変更する。
【００４８】
ここで、外部不揮発性記憶部２０２の交換がある場合には、例えば、ユーザにより、現在とは異なる通信方式に対応したソフトウエアを記憶した外部不揮発性記憶部２０２が接続部Ｐ２０１に接続されるように、外部不揮発性記憶部２０２が交換される。
また、外部不揮発性記憶部２０２の交換があるか否かを判定する手法としては、第１の実施例において例示したような種々な手法を用いることができる。
【００４９】
図８を参照して、外部不揮発性記憶部２０２に複数の通信方式に対応した複数のソフトウエアが記憶される場合について、本例の無線通信装置２０１により行われる通信方式の変更処理の手順の一例を示す。
無線システム（ここでは、無線通信装置２０１）が起動されると（ステップＳ２１１）、外部不揮発性記憶部２０２が接続部Ｐ２０１に接続されているか否かを判定し（ステップＳ２１２）、接続されていない場合には接続されるまで当該判定を繰り返して行う。
【００５０】
一方、外部不揮発性記憶部２０２が接続部Ｐ２０１に接続されている場合には、ユーザにより入力されたセキュリティ情報を取得して、当該取得したセキュリティ情報と予めセキュリティ情報記憶部２１８に記憶されたセキュリティ情報とを比較する（ステップＳ２１３）。
セキュリティ情報が一致した場合には通信処理の開始を許可して、外部不揮発性記憶部２０２から変復調処理部２１４のプロセッサにソフトウエアのブートを行う（ステップＳ２１４）。次に、ユーザより選択された通信方式を特定する情報を取得し（ステップＳ２１５）、選択された通信方式で変復調処理を行って通信が行われる（ステップＳ２１６）。一方、セキュリティ情報が一致しない場合には通信処理の開始を禁止して、比較処理（ステップ２１３）を繰り返す。
【００５１】
また、通信処理中には、ユーザから通信方式の変更指示があるか否かを判定し（ステップＳ２１７）、通信方式の変更指示が無い場合には当該通信処理を継続して行い、一方、通信方式の変更指示があった場合には、外部不揮発性記憶部２０２の交換を伴う通信方式の変更であるか否かを判定する（ステップＳ２１８）。
この結果、通信方式の変更はあるが外部不揮発性記憶部２０２の交換を伴うものではない場合には通信方式選択情報の取得処理（ステップＳ２１５）へ戻ることにより通信方式を変更し、一方、外部不揮発性記憶部２０２の交換を伴う通信方式の変更である場合には再び外部不揮発性記憶部２０２の接続確認処理（ステップＳ２１２）へ戻ることにより、通信方式を変更する。
【００５２】
以上のように、本例の無線システムは、第１及び第２の実施例に係る無線システムを組み合わせて、外部不揮発性記憶部２０２が接続された状態で且つ認証処理を行ってから通信処理を開始するため、第１又は第２の実施例に係る無線システムよりセキュリティを向上させたものとなっている。すなわち、通信方式のプログラムが記憶された外部不揮発性記憶部２０２が装着された状態の無線通信装置２０１がたとえ無断使用されたとしても、ユーザから入力されたセキュリティ情報に該当するセキュリティ情報がセキュリティ情報記憶部２１８に存在しない限り通信処理の開始が許可されないため、そのユーザは結局通信を行うことができず、無線システムの不正使用が防止される。
【００５３】
なお、本例の無線システムは、無線通信装置２０１と、外部記憶装置（本例では、外部不揮発性記憶部２０２）から構成されている。
また、本例の無線通信装置２０１では、接続された外部記憶装置に記憶されたソフトウエア（本例では、プログラム）を制御部２１６により実行することで変復調処理部２１４において当該ソフトウエアに対応した通信方式の変復調処理を実行し、入出力処理部２１５と変復調処理部２１４と周波数変換部２１３と増幅部２１２とアンテナ２１１により通信処理（送信処理や受信処理）を実行する機能により通信処理実行手段が構成されている。
【００５４】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００５５】
【図１】本発明の第１の実施例に係る無線システムの構成例を示す図である。
【図２】本発明の第１の実施例に係る通信方式の変更処理の手順の一例を示す図である。
【図３】本発明の第１の実施例に係る通信方式の変更処理の手順の一例を示す図である。
【図４】本発明の第２の実施例に係る無線システムの構成例を示す図である。
【図５】本発明の第２の実施例に係る通信方式の変更処理の手順の一例を示す図である。
【図６】本発明の第３の実施例に係る無線システムの構成例を示す図である。
【図７】本発明の第３の実施例に係る通信方式の変更処理の手順の一例を示す図である。
【図８】本発明の第３の実施例に係る通信方式の変更処理の手順の一例を示す図である。
【図９】無線通信装置の構成例を示す図である。
【図１０】通信方式の変更処理の手順の一例を示す図である。
【符号の説明】
【００５６】
１、２１、１０１、２０１・・無線通信装置、  ２、２０２・・外部不揮発性記憶部、  １１、３１、１１１、２１１・・アンテナ、  １２、３２、１１２、２１２・・増幅部、  １３、３３、１１２、２１３・・周波数変換部、  １４、３４、１１４、２１４・・変復調処理部、  １５、３５、１１５、２１５・・入出力処理部、  １６、３６、１１６、２１６・・制御部、  ３７、１１７・・不揮発性記憶部、  １１８、２１８・・セキュリティ情報記憶部、  Ｐ１、Ｐ１１、Ｐ１０１、Ｐ２０１・・接続部、  Ｐ２、Ｐ１２、Ｐ１０２、Ｐ２０２・・入出力部、  Ｐ３、Ｐ１３、Ｐ１０３、Ｐ２０３・・通信方式選択情報の入力部、  Ｐ１０４、Ｐ２０４・・セキュリティ情報の入力部
【図１】
2008005457.tif 000003
【図２】
2008005457.tif 000004
【図３】
2008005457.tif 000005
【図４】
2008005457.tif 000006
【図５】
2008005457.tif 000007
【図６】
2008005457.tif 000008
【図７】
2008005457.tif 000009
【図８】
2008005457.tif 000010
【図９】
2008005457.tif 000011
【図１０】
2008005457.tif 000012